(57)【要約】【課題】ＩＰ電話機と交換機が異なるサブネットワークに接続されていても、それぞれのアドレス情報を容易に設定できるＩＰ電話機、交換機、交換機システムおよびその登録方法を提供する。【解決手段】交換機５が接続される第１のネットワーク２とは異なるサブネットの第２のネットワーク３へＩＰ電話機６ｂを設置する場合でも、ＩＰ電話機６ｂを最初に第１のネットワーク２にて接続し、交換機５のＩＰアドレスをブロードキャストで要求して取得し、この要求パケットに含まれるＩＰ電話機６ｂのＭＡＣアドレスを交換機５が取得することで一旦登録を行い、次に設置先である第２のネットワーク３へ移設して、交換機５のＩＰアドレス宛にユニキャストでＩＰ電話機６ｂのＩＰアドレスの登録を再び行うことにより、容易にＩＰ電話機６ｂを交換機５へ登録することができる。【選択図】図１
2005340885.tif 000002
【特許請求の範囲】
【請求項１】
交換機と通信することができるＩＰ電話機であって、前記交換機と通信するためのインタフェースと、前記交換機のアドレス情報を格納することができる記憶部と、前記記憶部に前記交換機のアドレス情報が格納されているか否かを判断する電話機データ制御部と、前記電話機データ制御部が前記記憶部に前記交換機のアドレス情報が格納されていないと判断したとき、前記交換機のアドレス情報を取得するために登録要求をブロードキャストで送信するとともに、前記電話機データ制御部が前記記憶部に前記交換機のアドレス情報が格納されていると判断したときには、前記記憶部から交換機のアドレス情報を取り出し、該アドレス情報を宛先に自装置の登録要求をユニキャストで送信する交換機アドレス要求部と、登録要求がブロードキャストされた場合に、前記交換機から送信される前記交換機のアドレス情報を受信し、前記記憶部に格納する交換機アドレス受信部とを備えたことを特徴とするＩＰ電話機。
【請求項２】
前記記憶部に自装置のＭＡＣアドレスを格納し、前記交換機アドレス要求部が前記登録要求に前記ＭＡＣアドレスを含めて送信することを特徴とする請求項１に記載のＩＰ電話機。
【請求項３】
前記記憶部に自装置のＩＰアドレスを格納し、前記交換機アドレス要求部が前記登録要求に前記自装置のＩＰアドレスを含めて送信することを特徴とする請求項１または２に記載のＩＰ電話機。
【請求項４】
前記交換機アドレス受信部は、前記交換機からアドレス情報とともに送信される電話番号を受信し、表示部が該電話番号を表示することを特徴とする請求項１〜３のいずれかに記載のＩＰ電話機。
【請求項５】
前記交換機のアドレス情報がＩＰアドレスであることを特徴とする請求項１〜４のいずれかに記載のＩＰ電話機。
【請求項６】
前記記憶部に格納された前記交換機のアドレス情報を消去する電話機データ消去部を備えたことを特徴とする請求項１〜５のいずれかに記載のＩＰ電話機。
【請求項７】
ＩＰ電話機と通信することができる交換機であって、前記ＩＰ電話機と通信するためのインタフェースと、前記ＩＰ電話機のアドレス情報と電話番号とを関連付けた情報、登録処理を行うか否かのモード情報及び自装置のアドレス情報を格納する交換機記憶部と、自装置がＩＰ電話機の登録処理を行うか否かを前記モード情報を参照し判断するモード制御部と、前記ＩＰ電話機から登録要求を受信したとき、前記モード制御部が登録処理を行わないモードと判断した場合には前記登録要求を無視し、該モード制御部が登録処理を行うモードと判断した場合には、前記交換機記憶部から自装置のアドレス情報を取り出して、該アドレス情報を前記ＩＰ電話機に送信する交換機アドレス通知部と、前記登録要求に含まれるＩＰ電話機のアドレス情報と電話番号を関連付けて前記交換機記憶部に記憶するとともに、前記ＩＰ電話機の登録処理を行うＩＰ電話機登録管理部を備えたことを特徴とする交換機。
【請求項８】
前記ＩＰ電話機登録管理部が、前記ＩＰ電話機から送信されたＩＰ電話機のＭＡＣアドレスを前記ＩＰ電話機のアドレス情報及び電話番号とともに関係付けて前記記憶部に記憶することを特徴とする請求項７に記載の交換機。
【請求項９】
前記記憶部に格納された前記ＩＰ電話機のアドレス情報を消去するＩＰ電話機管理テーブル消去部を備えたことを特徴とする請求項７または８に記載の交換機。
【請求項１０】
前記ＩＰ電話機のアドレス情報がＩＰアドレスであることを特徴とする請求項７〜９のいずれかに記載の交換機。
【請求項１１】
表示部が前記交換機記憶部に格納されたモード情報を表示することを特徴とする請求項７〜１０のいずれかの項に記載の交換機。
【請求項１２】
交換機が設けられた第１のネットワークと、前記第１のネットワークに接続されたネットワーク中継装置と、前記ネットワーク中継装置に接続された第２のネットワークとを備え、前記交換機及び前記第２のネットワークに収容可能なＩＰ電話機を備えた交換機システムであって、前記ＩＰ電話機には、前記交換機のアドレス情報を格納することができる記憶部と、前記第１のネットワークに接続された場合は前記第１のネットワークへブロードキャストで前記交換機のアドレス情報を問い合わせて登録要求を行い、前記交換機のアドレス情報が格納された状態で前記第２のネットワークに接続された場合には前記ＩＰ電話機のアドレス情報を前記交換機に送信して登録要求する交換機アドレス要求部と、前記問い合わせに対して前記交換機から送信された前記交換機のアドレス情報を受信し前記記憶部に格納する交換機アドレス受信部が設けられ、前記交換機には、前記ＩＰ電話機からの登録要求を受信したとき、交換機記憶部内のモード情報を参照して登録処理を行うか否かを判断するモード制御部と、該モード制御部が登録処理を行うモードと判断したとき、前記ＩＰ電話機からの登録要求に応じて前記ＩＰ電話機のＭＡＣアドレスとアドレス情報を関係付けて前記交換機記憶部に記憶するＩＰ電話機登録管理部と、前記ブロードキャストで登録要求された場合に前記交換機のアドレス情報を前記ＩＰ電話機へ通知する交換機アドレス通知部が設けられたことを特徴とする交換機システム。
【請求項１３】
前記交換機には、前記ＩＰ電話機からの登録要求に応じて前記ＩＰ電話機の電話番号を割り当てる電話番号割当部が設けられ、前記交換機アドレス通知部が割り当てた電話番号を前記ＩＰ電話機に通知し、該ＩＰ電話機においては前記交換機アドレス受信部が前記交換機から通知された電話番号を受信し、表示部が該電話番号を表示することを特徴とする請求項１２に記載の交換機システム。
【請求項１４】
前記ＩＰ電話機には、前記記憶部に格納された前記交換機のアドレス情報を消去する電話機データ消去部が設けられたことを特徴とする請求項１２または１３に記載の交換機システム。
【請求項１５】
前記交換機には、前記交換機記憶部に格納された前記ＩＰ電話機のアドレス情報を消去するＩＰ電話機管理テーブル消去部が設けられたことを特徴とする請求項１２〜１４のいずれかに記載の交換機システム。
【請求項１６】
前記交換機には表示部が設けられ、前記交換機記憶部に格納されたモード情報を表示することを特徴とする請求項１２〜１５のいずれかの項に記載の交換機システム。
【請求項１７】
ＩＰ電話機を第１のネットワークに接続するステップと、前記ＩＰ電話機が、前記第１のネットワークへブロードキャストで交換機のアドレス情報を問い合わせ登録要求するステップと、前記交換機が、アドレス情報の問い合わせで前記ＩＰ電話機から送信されたＭＡＣアドレスを受信して前記交換機記憶部に格納するとともに、前記交換機のアドレス情報を通知するステップと、前記ＩＰ電話機が、前記交換機から送信された前記交換機のアドレス情報を受信し前記記憶部に格納するステップと、前記ＩＰ電話機を第２のネットワークに接続するステップと、前記ＩＰ電話機が、前記記憶部から交換機のアドレス情報を取得し、この取得したアドレス情報に基づいて前記第２のネットワークを介して前記交換機に接続し、前記ＩＰ電話機の登録を要求するステップとを含むことを特徴とする交換機シ
ステムの登録方法。
【発明の詳細な説明】
【技術分野】
【０００１】
本発明は、交換機と、この交換機に収容されるＩＰ（Internet Protocol）電話機と、この交換機とＩＰ電話機がＬＡＮ（Local Area Network）で接続される交換機システム及びその登録方法に関する。
【背景技術】
【０００２】
オフィスなどで使用される電話機として、インターネットなどのネットワークを利用したＩＰ電話機が広まってきている。このＩＰ電話機は、ＬＡＮで交換機に接続されることで、専用線、公衆網や、インターネットなどを介して通話相手と会話することが可能である。
【０００３】
このＩＰ電話機を用いて発信または着信をできるようにするためには、様々な設定をＩＰ電話機側と交換機側の双方に行う必要がある。例えばＩＰ電話機と交換機はＬＡＮを介して接続されるため、ＩＰアドレスを割り当てる必要がある。そしてこのＩＰアドレスは交換機側で一元管理される。
【０００４】
ところで、このＩＰアドレスを交換機が動的にＩＰ電話機に割り当てる交換機システムが知られている（例えば、特許文献１参照。）。この（特許文献１）の交換機システムは、ＩＰ電話機からＬＡＮ内に送信されたブロードキャストパケットを交換機が受信し、交換機がＩＰ電話機に対して動的にＩＰアドレスを割り当てるものである。
【特許文献１】特開２００３−２７３８９９号公報
【発明の開示】
【発明が解決しようとする課題】
【０００５】
以上説明したように（特許文献１）に記載の交換機システムでは、ブロードキャストパケット用いてＩＰアドレスのような電話機を識別するアドレス情報を割り当てている。しかし、交換機とＩＰ電話機が異なるサブネットのネットワークにそれぞれ接続され、これらのネットワークがルータなどのネットワーク中継装置を介して接続されている場合には、交換機やＩＰ電話機が送信するブロードキャストパケットがネットワーク中継装置を通過できないので、アドレス情報などを電話機に割り当てることができない。例えばよくあることであるが、交換機と同じサブネットのネットワークに接続されていたＩＰ電話機が、そのＩＰ電話機を使用していた使用者の配転などで使用者とともに移動し、従来と異なるサブネットのネットワークに設置される場合など、交換機はアドレス情報を割り当てることができない。
【０００６】
このように、交換機とＩＰ電話機が異なるサブネットのネットワークに接続される場合は、交換機に対してはアドレス情報としてＩＰ電話機に割り当てたＩＰアドレス、ＩＰ電話機のＭＡＣ（Media Access Control）アドレス、電話番号等を設定し、ＩＰ電話機に対しては交換機のＩＰアドレスなどのアドレス情報を一つ一つ設定する必要がある。
【０００７】
ところで、交換機とＩＰ電話機に対する設定作業は、ＩＰアドレス、ＭＡＣアドレス、電話番号等がいずれも英数字の羅列であるため、無意味な英数字の入力が必要であり誤って設定する可能性がある。
【０００８】
そこで本発明は、ＩＰ電話機と交換機が異なるサブネットのネットワークに接続されていても、それぞれのアドレス情報を容易に設定でき、利便性が高いＩＰ電話機、交換機、交換機システムおよびその登録方法を提供することを目的とする。
【課題を解決するための手段】
【０００９】
本発明は、交換機と通信することができるＩＰ電話機であって、交換機と通信するためのインタフェースと、交換機のアドレス情報を格納することができる記憶部と、記憶部に交換機のアドレス情報が格納されているか否かを判断する電話機データ制御部と、電話機データ制御部が記憶部に交換機のアドレス情報が格納されていないと判断したとき、交換機のアドレス情報を取得するために登録要求をブロードキャストで送信するとともに、電話機データ制御部が記憶部に交換機のアドレス情報が格納されていると判断したときには、記憶部から交換機のアドレス情報を取り出し、該アドレス情報を宛先に自装置の登録要求をユニキャストで送信する交換機アドレス要求部と、登録要求がブロードキャストされた場合に、交換機から送信される交換機のアドレス情報を受信し、記憶部に格納する交換機アドレス受信部とを備えたことを特徴とするものである。
【発明の効果】
【００１０】
本発明のＩＰ電話機、交換機、交換機システム、及び交換機システムの登録方法は、第１のネットワークに接続されているＩＰ電話機を、異なるサブネットの第２のネットワークへＩＰ電話機を設置する場合でも、最初に第１のネットワークにて交換機のアドレス情報をブロードキャストで取得することで登録を行い、次に第２のネットワークにて、取得した交換機のアドレス情報に基づいて、ＩＰ電話機が、第１のネットワークに接続される交換機へ再度登録を行うことができる。なお、異なるサブネット間でＩＰ電話機を移設した場合、ＩＰ電話機のＩＰアドレスは移動前のネットワークで使用していたＩＰアドレスとは異なるため、再度交換機への登録作業が必要となる。
【００１１】
また、ＩＰ電話機の登録は登録モードＯＮに設定されている交換機のみ受け付けることが可能なため、同一ネットワーク内に複数交換機を配置している場合に登録させる交換機を選択することができる。
【００１２】
そして、ＩＰ電話機と交換機が異なるサブネットのネットワークに接続する場合でも、それぞれのアドレス情報などが容易に設定できることで利便性が高い交換機システムとすることができる。
【発明を実施するための最良の形態】
【００１３】
本願の第１の発明は、交換機と通信することができるＩＰ電話機であって、交換機と通信するためのインタフェースと、交換機のアドレス情報を格納することができる記憶部と、記憶部に交換機のアドレス情報が格納されているか否かを判断する電話機データ制御部と、電話機データ制御部が記憶部に交換機のアドレス情報が格納されていないと判断したとき、交換機のアドレス情報を取得するために登録要求をブロードキャストで送信するとともに、電話機データ制御部が記憶部に交換機のアドレス情報が格納されていると判断したときには、記憶部から交換機のアドレス情報を取り出し、該アドレス情報を宛先に自装置の登録要求をユニキャストで送信する交換機アドレス要求部と、登録要求がブロードキャストされた場合に、交換機から送信される交換機のアドレス情報を受信し、記憶部に格納する交換機アドレス受信部とを備えたＩＰ電話機であり、ＩＰ電話機が、同一サブネット内に接続される場合でも、サブネットを越えて接続される場合であっても、交換機に正常に登録要求をして交換機に登録することができる。
【００１４】
本願の第２の発明は、第１の発明に従属する発明であって、記憶部に自装置のＭＡＣアドレスを格納し、交換機アドレス要求部が登録要求にＭＡＣアドレスを含めて送信するＩＰ電話機であり、ユニークな番号であるＭＡＣアドレスを交換機に送信できるため、交換機側にどのＩＰ電話機からの登録要求かを通知することができる。
【００１５】
本願の第３の発明は、第１または２の発明に従属する発明であって、記憶部に自装置のＩＰアドレスを格納し、交換機アドレス要求部が登録要求に自装置のＩＰアドレスを含めて送信するＩＰ電話機であり、このＩＰ電話機は、イーサネット（登録商標）等を用いたネットワークを利用することができる。
【００１６】
本願の第４の発明は、第１〜３のいずれかの発明に従属する発明であって、交換機アドレス受信部は、交換機からアドレス情報とともに送信される電話番号を受信し、表示部が該電話番号を表示するＩＰ電話機であり、交換機から割り当てられた電話番号を容易に確認することができる。とくに、交換機のアドレス情報を取得する際に、交換機から電話番号の割当てを受けることができるから、交換機側が交換機のアドレス情報を取得した順番に若番から電話番号を割り当てるような場合には、順番にＩＰ電話機を接続することにより、順番に電話番号を割り当てることができる。
【００１７】
本願の第５の発明は、第１〜４のいずれかの発明に従属する発明であって、交換機のアドレス情報がＩＰアドレスであるＩＰ電話機であり、このＩＰ電話機は、イーサネット（登録商標）等を用いたネットワークを利用することができる。
【００１８】
本願の第６の発明は、第１〜５のいずれかの発明に従属する発明であって、記憶部に格納された交換機のアドレス情報を消去する電話機データ消去部を備えたＩＰ電話機であり、一旦交換機に登録した後であっても、記憶部に格納された交換機のアドレス情報を消去することにより、別の交換機に登録することができる。
【００１９】
本願の第７の発明は、ＩＰ電話機と通信することができる交換機であって、ＩＰ電話機と通信するためのインタフェースと、ＩＰ電話機のアドレス情報と電話番号とを関連付けた情報、登録処理を行うか否かのモード情報及び自装置のアドレス情報を格納する交換機記憶部と、自装置がＩＰ電話機の登録処理を行うか否かをモード情報を参照し判断するモード制御部と、ＩＰ電話機から登録要求を受信したとき、モード制御部が登録処理を行わないモードと判断した場合には登録要求を無視し、該モード制御部が登録処理を行うモードと判断した場合には、交換機記憶部から自装置のアドレス情報を取り出して、該アドレス情報をＩＰ電話機に送信する交換機アドレス通知部と、登録要求に含まれるＩＰ電話機のアドレス情報と電話番号を関連付けて交換機記憶部に記憶するとともに、ＩＰ電話機の登録処理を行うＩＰ電話機登録管理部を備えた交換機であり、交換機は、登録モードＯＮの場合のみＩＰ電話機からの登録要求を処理するため同一ネットワーク内に複数交換機を設置している場合に登録させる交換機の選択が可能となる。また、交換機に接続しようとするＩＰ電話機は、交換機の接続されているネットワーク内で一旦交換機のＩＰアドレスを取得すれば、ＩＰ電話機を別のサブネットに接続しても、交換機に正常に再度登録要求をして交換機に登録することができる。
【００２０】
本願の第８の発明は、第７の発明に従属する発明であって、ＩＰ電話機登録管理部が、ＩＰ電話機から送信されたＩＰ電話機のＭＡＣアドレスをＩＰ電話機のアドレス情報及び電話番号とともに関係付けて記憶部に記憶する交換機であり、ユニークな番号であるＭＡＣアドレスを交換機に登録できるため、交換機側でどのＩＰ電話機から登録要求があったかを識別することができる。
【００２１】
本願の第９の発明は、第７または８の発明に従属する発明であって、記憶部に格納されたＩＰ電話機のアドレス情報を消去するＩＰ電話機管理テーブル消去部を備えた交換機であり、一旦交換機にＩＰ電話機のアドレス情報を登録した後であっても、記憶部に格納されたＩＰ電話機のアドレス情報を消去することができる。
【００２２】
本願の第１０の発明は、第７〜９のいずれかの発明に従属する発明であって、ＩＰ電話
機のアドレス情報がＩＰアドレスである交換機であり、この交換機は、イーサネット（登録商標）等を用いたネットワークを利用することができる。
【００２３】
本願の第１１の発明は、第７〜１０のいずれかの発明に従属する発明であって、表示部が交換機記憶部に格納されたモード情報を表示する交換機であり、設定されているＩＰ電話機の登録モードを容易に確認することができる。
【００２４】
本願の第１２の発明は、交換機が設けられた第１のネットワークと、第１のネットワークに接続されたネットワーク中継装置と、ネットワーク中継装置に接続された第２のネットワークとを備え、交換機及び第２のネットワークに収容可能なＩＰ電話機を備えた交換機システムであって、ＩＰ電話機には、交換機のアドレス情報を格納することができる記憶部と、第１のネットワークに接続された場合は第１のネットワークへブロードキャストで交換機のアドレス情報を問い合わせて登録要求を行い、交換機のアドレス情報が格納された状態で第２のネットワークに接続された場合にはＩＰ電話機のアドレス情報を交換機に送信して登録要求する交換機アドレス要求部と、問い合わせに対して交換機から送信された交換機のアドレス情報を受信し記憶部に格納する交換機アドレス受信部が設けられ、交換機には、ＩＰ電話機からの登録要求を受信したとき、交換機記憶部内のモード情報を参照して登録処理を行うか否かを判断するモード制御部と、該モード制御部が登録処理を行うモードと判断したとき、ＩＰ電話機からの登録要求に応じてＩＰ電話機のＭＡＣアドレスとアドレス情報を関係付けて交換機記憶部に記憶するＩＰ電話機登録管理部と、ブロードキャストで登録要求された場合に交換機のアドレス情報をＩＰ電話機へ通知する交換機アドレス通知部が設けられた交換機システムであり、予め交換機と同じネットワークである第１のネットワークにＩＰ電話機を接続して、ブロードキャストで交換機のアドレス情報を取得した後、第１のネットワークと異なるサブネットの第２のネットワークに接続し、ＩＰ電話機が記憶している交換機のアドレス情報に基づいて、ＩＰ電話機の登録を要求する通知を交換機へ送信する。これにより、交換機とＩＰ電話機とが異なるサブネットのネットワークに接続する場合でも、それぞれの設定が容易に、かつ誤操作することなく行うことができる。また、交換機に登録モード情報を設定することによりＩＰ電話機を登録する交換機を容易に選択することができる。
【００２５】
本願の第１３の発明は、第１２の発明に従属する発明であって、交換機には、ＩＰ電話機からの登録要求に応じてＩＰ電話機の電話番号を割り当てる電話番号割当部が設けられ、交換機アドレス通知部が割り当てた電話番号をＩＰ電話機に通知し、該ＩＰ電話機においては交換機アドレス受信部が交換機から通知された電話番号を受信し、表示部が該電話番号を表示する交換機システムであり、ＩＰ電話機に、記憶手段に格納されたＩＰ電話機の電話番号を表示する表示手段を備えたので、交換機から割り当てられた電話番号を容易に確認することができる。
【００２６】
本願の第１４の発明は、第１２または１３の発明に従属する発明であって、ＩＰ電話機には、記憶部に格納された交換機のアドレス情報を消去する電話機データ消去部が設けられた交換機システムであり、ＩＰ電話機に、記憶手段に格納された交換機のアドレス情報を消去する手段を備えたので、再度ＩＰ電話機を移転する場合でも、この交換機のアドレス情報を消去することで、ＩＰ電話機および交換機の再設定が可能である。
【００２７】
本願の第１５の発明は、第１２〜１４のいずれかの発明に従属する発明であって、交換機には、交換機記憶部に格納されたＩＰ電話機のアドレス情報を消去するＩＰ電話機管理テーブル消去部が設けられた交換機システムであり、一旦交換機にＩＰ電話機のアドレス情報を登録した後であっても、記憶手段に格納されたＩＰ電話機のアドレス情報を消去することができる。
【００２８】
本願の第１６の発明は、第１２〜１５のいずれかの発明に従属する発明であって、表示部が交換機記憶部に格納されたモード情報を表示する交換機システムであり、現在のＩＰ電話機登録モードを容易に確認することができる。
【００２９】
本願の第１７の発明は、ＩＰ電話機を第１のネットワークに接続するステップと、ＩＰ電話機が、第１のネットワークへブロードキャストで交換機のアドレス情報を問い合わせ登録要求するステップと、交換機が、アドレス情報の問い合わせでＩＰ電話機から送信されたＭＡＣアドレスを受信して交換機記憶部に格納するとともに、交換機のアドレス情報を通知するステップと、ＩＰ電話機が、交換機から送信された交換機のアドレス情報を受信し記憶部に格納するステップと、ＩＰ電話機を第２のネットワークに接続するステップと、ＩＰ電話機が、記憶部から交換機のアドレス情報を取得し、この取得したアドレス情報に基づいて第２のネットワークを介して交換機に接続し、ＩＰ電話機の登録を要求するステップとを含む交換機システムの登録方法であり、予め交換機と同じネットワークである第１のネットワークにＩＰ電話機を接続して、ブロードキャストで交換機のアドレス情報を取得した後、第１のネットワークと異なるサブネットの第２のネットワークに接続し、交換機のアドレス情報に基づいて、ＩＰ電話機の登録を要求する通知を交換機へ送信する。これにより、交換機とＩＰ電話機とが異なるサブネットのネットワークに接続する場合でも、それぞれの設定が容易に、かつ誤操作することなく行うことができる。また、ＩＰ電話機を交換機と同一のネットワーク内で接続し、登録を要求するステップから、ＩＰ電話機が交換機の受信したアドレス情報を格納するステップまで完了した段階では、第２のネットワークに接続しなくても、第１のネットワーク内でＩＰ電話機を利用することができる。
【００３０】
（実施の形態１）
以下、図面に基づいて本発明の実施の形態１について説明する。図１は本発明の実施の形態１における交換機システムのネットワーク接続を説明する図であって、図１（ａ）はＩＰ電話機が第１のネットワークに接続されたときの説明図、図１（ｂ）は図１（ａ）のＩＰ電話機が第２のネットワークに接続されたときの説明図である。
【００３１】
本発明の実施の形態１における交換機システム１は、図１（ａ）に示すように第１のネットワーク２と、第２のネットワーク３とがネットワーク中継装置であるルータ４で接続されている。この第１のネットワーク２には、交換機５とＤＨＣＰ（Dynamic Host Configuration Protocol）サーバ９とが設けられ、ＩＰ電話機６（６ａ，６ｂ）と図示しない複数のＩＰ電話機６とが、ＬＡＮスイッチ７を介して接続されている。また交換機５は、第２のネットワーク３や、図示しない他のネットワークとはルータ４を介して接続されている。
【００３２】
ここでＬＡＮスイッチ７は、ブリッジ機能を有しており、データリンク層のデータの一部である宛先ＭＡＣアドレスを見てデータの行き先を決定するスイッチングハブである。このＬＡＮスイッチ７はリピータハブでもよい。また、ＩＰ電話機６は、ＬＡＮスイッチ７を介して交換機５と接続されているが、交換機５のＬＡＮポートの口数が不足しないのであれば、直接接続することもできる。
【００３３】
第２のネットワーク３では、ルータ４を介して第１のネットワーク２の交換機５に収容されるＩＰ電話機６（図示しない）やＤＨＣＰサーバ１０がＬＡＮスイッチ８に接続されている。このＬＡＮスイッチ８は、上述したＬＡＮスイッチ７と同じ機能を有したスイッチングハブであるが、同様にリピータハブとすることもできる。
【００３４】
図１（ｂ）は、ＩＰ電話機６ｂが第１のネットワーク２のＬＡＮスイッチ７から取り外され、第２のネットワーク３内に移動されてＬＡＮスイッチ８に接続された状態を示して
いる。
【００３５】
ところでこの第１のネットワーク２と第２のネットワーク３とは異なるサブネットである。つまり、ブロードキャストされたパケットは、同一ネットワークの範囲内にしか到達しない。すなわち、第１のネットワーク２に接続された装置からブロードキャストのパケットは、第１のネットワーク２内にしか到達せず、第２のネットワーク３には到達することができない。同様に、第２のネットワーク３に接続された装置からのブロードキャストのパケットは第２のネットワーク３内の範囲にしか到達しない。
【００３６】
これはルータ４がこのブロードキャストのパケットを通過させないためである。なお、それぞれ第１のネットワーク２または第２のネットワーク３に接続されている装置は、通信先相手のアドレス情報であるＩＰアドレスを指定して、サブネットの異なる他のネットワークに接続される装置と通信する。
【００３７】
次に、ＩＰ電話機６の構成について図２および図３に基づいて説明する。図２は図１のＩＰ電話機の構成の説明図、図３は図１のＩＰ電話機の電話機データ制御部の構成の説明図である。
【００３８】
図２に示すように、ＩＰ電話機６は、ＬＡＮＩ／Ｆ部２１と、ＩＰパケット処理部２２と、音声符号化部２３と、マイク２４と、スピーカ２５と、入力部２６と、表示部２７と、電話機データ記憶部２８（本発明の記憶部）と、電話機データ制御部２９とを備えている。
【００３９】
このＬＡＮＩ／Ｆ部２１は、ＬＡＮスイッチ７や交換機５に接続するために、１０Ｂａｓｅ−Ｔや１００Ｂａｓｅ−Ｔｘなどの電気的変換を行うインタフェースである。また、ＩＰパケット処理部２２は、ディジタル化した音声データをＩＰパケットとしてＬＡＮＩ／Ｆ部２１へ送出する。また、ＬＡＮＩ／Ｆ部２１から受信したパケットを音声データに変換し音声符号化部２３へ通知する。また、電話機データ制御部２９からのデータをＩＰパケットとしてＬＡＮＩ／Ｆ部２１を介して送出する。
【００４０】
音声符号化部２３は、マイク２４から入力したアナログの音声信号をディジタルデータに変換してＩＰパケット処理部２２へ送信する。また、音声符号化部２３は、ＩＰパケット処理部２２から受信した音声データをデコードしアナログ信号をスピーカ２５へ送出する。入力部２６は、図示しないダイヤルボタンなどを押下して入力された信号を電話機データ制御部２９へ送信するとともに、表示部２７に送信する。
【００４１】
表示部２７は、液晶表示パネルなどを使用することができ、入力部２６にて入力された相手先電話番号などを表示する。また、交換機５より割り当てられた電話番号、自装置のＩＰアドレス、ＭＡＣアドレスや交換機５のＩＰアドレスを表示する機能を有する。電話機データ記憶部２８は、交換機５のアドレス情報であるＩＰアドレス、自装置のＭＡＣアドレスやＩＰアドレスなどを格納する記憶手段である。また、交換機５により割り当てられた電話番号を格納する機能も有している。
【００４２】
ここで、電話機データ制御部２９の詳細な構成を図３に基づいて説明する。図３に示すように電話機データ制御部２９は、発着信制御部２９ａと、交換機アドレス要求部２９ｂと、交換機アドレス受信部２９ｃと、電話機アドレス要求部２９ｄと、電話機アドレス受信部２９ｅと、電話機データ消去部２９ｆとを備えている。ここで電話機データ制御部２９を構成するこれらの各部は、プログラムをプロセッサにロードして実現されるもので機能実現手段としての手段である。
【００４３】
この発着信制御部２９ａは、入力部２６から入力された電話番号に基づいて、電話機データ記憶部２８に格納されたＩＰアドレスをもつ交換機５に対してＩＰパケット処理部２２を介して発呼を行う。また、交換機５からの着呼は逆にＩＰパケット処理部２２を介して受信する。
【００４４】
交換機アドレス要求部２９ｂは、交換機５のアドレス情報が未設定で、電話機データ記憶部２８に交換機５のＩＰアドレスが格納されていないと判断した場合に、ブロードキャストで交換機５のＩＰアドレスを問い合わせる。このアドレス情報が未設定な状態とは、新規にＩＰ電話機６を交換機５へ接続する場合などのように、電話機データ記憶部２８に交換機５のアドレス情報であるＩＰアドレスが格納されていない状態である。この際には、交換機５がどのＩＰ電話機６からの問い合わせかを判別するために、交換機アドレス要求部２９ｂは、ＭＡＣアドレスを交換機５へ通知する。
【００４５】
なお、交換機５のＩＰアドレスを問い合わせるためのＩＰパケットは、ＭＡＣフレームにのせられてブロードキャストされる。このＭＡＣフレームには送信元ＭＡＣアドレスとしてＩＰ電話機６のＭＡＣアドレスが付加されており、ＭＡＣアドレスの通知は、ＭＡＣフレームで行う。なお、ＭＡＣフレームに代えてＩＰ電話機６のＭＡＣアドレスをＩＰパケットのデータ部にのせて通知するのでもよい。この交換機アドレス要求部２９ｂから交換機５のＩＰアドレスを問い合わせるパケット（登録要求）はブロードキャストで送信されるため、ＩＰ電話機６を第１のネットワーク２に接続した状態で行う。
【００４６】
交換機アドレス受信部２９ｃは、交換機アドレス要求部２９ｂより送信された問い合わせに対して交換機５から送信された交換機５のＩＰアドレスを、ＩＰパケット処理部２２を介して受信し、電話機データ記憶部２８に格納する。また、電話機アドレス要求部２９ｄは、ＤＨＣＰサーバ９に対してＤＨＣＰ手順でＩＰアドレスの要求を行う。すなわち、電話機アドレス要求部２９ｄは、ＩＰパケット処理部２２を介して、ＵＤＰプロトコルにてＤＨＣＰ発見パケットをブロードキャストする。
【００４７】
そして、ＤＨＣＰサーバから応答があれば、ＤＨＣＰサーバ９宛てにＩＰアドレスの割り当て申請のパケットを送信する。さらに、電話機アドレス受信部２９ｅは、電話機アドレス要求部２９ｄによるＩＰ電話機６のＩＰアドレスの割り当て要求に対してＤＨＣＰサーバ９から送信されたＩＰ電話機６のＩＰアドレスを電話機データ記憶部２８に格納する。また、交換機５からの割り当てられたＩＰ電話機６の電話番号を電話機データ記憶部２８へ格納する機能も有している。
【００４８】
電話機データ消去部２９ｆは、電話機データ記憶部２８に格納された交換機５のＩＰアドレス、ＩＰ電話機６のＩＰアドレスや電話番号の消去を行う。ＩＰ電話機６を一旦交換機５に登録後、例えば第１のネットワーク２または第２のネットワーク３から他のネットワークへ移設する場合には、この電話機データ消去部２９ｆにより交換機５のＩＰアドレス、ＩＰ電話機６のＩＰアドレスや電話番号を消去することで、新たな移転先でのＩＰ電話機６のＩＰアドレスおよび電話番号を割り当てさせることができる。また、新たな登録相手の交換機５のアドレス情報を問い合わせる。
【００４９】
次に、本発明の実施の形態１における交換機システム１の交換機５の詳細な構成について、図４に基づいて説明する。図４は図１の交換機の構成の説明図である。
【００５０】
図４に示すように交換機５は、ＬＡＮＩ／Ｆ部１１と、アップリンクＩ／Ｆ部１２と、スイッチ部１３と、記憶部１４（本発明の交換機記憶部）と、制御部１５とを備えている。このＬＡＮＩ／Ｆ部１１は、ＬＡＮスイッチ７やＩＰ電話機６などの下位装置と接続するために、１０Ｂａｓｅ−Ｔや１００Ｂａｓｅ−Ｔｘなどの電気的変換を行うインタフェ
ースである。また、アップリンクＩ／Ｆ部１２は、ルータ４などの上位装置と接続するために、１０Ｂａｓｅ−Ｔや１００Ｂａｓｅ−Ｔｘなどの電気的変換をインタフェースである。
【００５１】
スイッチ部１３は、ＬＡＮＩ／Ｆ部１１またはアップリンクＩ／Ｆ部１２から入力されたパケットのＭＡＣアドレスを判定して、該当するＬＡＮＩ／Ｆ部１１またはアップリンクＩ／Ｆ部１２へパケットを出力するＬ２スイッチである。また記憶部１４には、モード記憶部１４ａと、ＩＰ電話機管理テーブル１４ｂと、交換機アドレス記憶部１４ｃとが設けられている。モード記憶部１４ａは、交換機５の登録モード情報を格納する記憶手段であり、ＩＰ電話機管理テーブル１４ｂは、ＩＰ電話機６のＩＰアドレス、ＭＡＣアドレス、電話番号などを対応付けて格納する記憶手段である。また、交換機アドレス記憶部１４ｃは、交換機５のＩＰアドレスを格納する記憶手段である。
【００５２】
制御部１５は、モード制御部１５ａと、交換機アドレス通知部１５ｂと、電話番号割当部１５ｃと、ＩＰ電話機登録管理部１５ｄと、ＩＰ電話機管理テーブル消去部１５ｅを備えるとともに、交換機５全体を制御する。制御部１５を構成するこれらの各部は、プログラムをプロセッサにロードして実現されるもので機能実現手段としての手段である。
【００５３】
モード制御部１５ａは、モード記憶部１４ａに格納している登録モード情報を設定変更したり、モード表示部１６へその表示情報を通知する。このモード制御部１５ａは、交換機５にＬＡＮＩ／Ｆ部１１を介して接続、またはＲＳ−２３２Ｃなどのインタフェースを介して接続した保守端末からの操作で制御することができる。また、ＩＰ電話機６からの登録要求を受信した場合にモード記憶部１４ａに格納している登録モード情報を参照して登録処理をするか否かの判断を行う。
【００５４】
交換機アドレス通知部１５ｂは、ＩＰ電話機６からの交換機５のＩＰアドレスの問い合わせに対して、交換機５のＩＰアドレスを交換機アドレス記憶部１４ｃから取り出し、後述する電話番号割当部１５ｃで割り当てた電話番号とともに通知する。また電話番号割当部１５ｃは、新規に交換機５に収容されるＩＰ電話機６の電話番号を、交換機５に割り当てられた電話番号の中から既に割り当てた電話番号を除いて、新たに割り当てる。
【００５５】
なお、このとき行う電話番号の割り当ては、交換機５に割り当てられた電話番号の中から既に割り当てた電話番号を除き、若い番号から順に割り当てるようにしてもよい。従って、順番にＩＰ電話機６を配列して接続するとその順で電話番号を割り当てることができ、複数のＩＰ電話機６に電話番号を割り当てるときに、割り当てたい電話番号順にＩＰ電話機６を接続すれば、希望通りの順で電話番号を割り当てることができる。
【００５６】
ＩＰ電話機登録管理部１５ｄは、割り当てたＩＰ電話機６の電話番号や、受信したＩＰ電話機６のＭＡＣアドレス、ＩＰアドレスなどをそれぞれ対応付けてＩＰ電話機管理テーブル１４ｂへ格納する。そしてＩＰ電話機管理テーブル消去部１５ｅは、ＩＰ電話機６のＭＡＣアドレス、ＩＰアドレスなどをそれぞれ対応付けてＩＰ電話機管理テーブル１４ｂを消去する手段であり、ＩＰ電話機６毎に情報を消去したり、全てのＩＰ電話機６の情報を消去したりすることができる。このＩＰ電話機管理テーブル消去部１５ｅは、交換機５にＬＡＮＩ／Ｆ部１１を介して接続、又はＲＳ−２３２Ｃなどのインタフェースを介して接続した保守端末からの操作で制御することができる。
【００５７】
次に、本発明の実施の形態１における交換機システム１の動作について説明する。図５は図１のＩＰ電話機の動作を説明するフローチャート、図６は図１の交換機の動作を説明するフローチャートである。実施の形態１においては、図１（ａ）、図１（ｂ）に示すように、交換機５が接続している第１のネットワーク２とは異なるサブネットの第２のネッ
トワーク３にＩＰ電話機６ｂを移設するときに、交換機５へＩＰ電話機を登録する場合を例にして説明する。
【００５８】
まず、ＩＰ電話機６ｂの動作を図１および図５に基づいて説明する。図１（ａ）に示すように、まずＩＰ電話機６ｂをＬＡＮスイッチ７に接続することで、第１のネットワーク２内で交換機５と通信可能な状態となる。この接続状態において、ＩＰ電話機６ｂの電話機データ記憶部２８には、交換機５のＩＰアドレスおよび電話番号は格納されていない。すなわち、ＩＰ電話機６ｂは、電話機データ記憶部２８に格納されたこれらの交換機５のＩＰアドレスおよびＩＰ電話機６ｂのＭＡＣアドレス、ＩＰアドレス、電話番号を、電話機データ消去部２９ｆなどにより予め消去した状態である。
【００５９】
図５に示すように、まず初期状態としてＩＰ電話機６ｂの電源を投入またはリセットを投入する（Ｓ１００）。電話機データ制御部２９の電話機アドレス要求部２９ｄは、ＤＨＣＰ手順にてブロードキャストパケットを送信し、ＤＨＣＰサーバ９へＩＰ電話機６ｂのＩＰアドレスの取得を要求する。なお、要求元のＩＰ電話機６ｂが第１のネットワーク２に配置されているので、ＤＨＣＰサーバ９からＩＰアドレスを取得することになる。
【００６０】
電話機アドレス受信部２９ｅは、ＩＰアドレスの割り当て要求に対してＤＨＣＰサーバ９が割り当てたＩＰ電話機６ｂのＩＰアドレスを電話機データ記憶部２８に格納する（Ｓ１１０）。
【００６１】
続いて交換機アドレス要求部２９ｂは、電話機データ記憶部２８を参照して、交換機５のＩＰアドレスを取得済みか否かを確認する（Ｓ１２０）。Ｓ１２０にて交換機５のＩＰアドレスを未取得状態である場合は、Ｓ１３０へ移行する。電話機データ消去部２９ｆによって電話機データ記憶部２８の内容を予め消去している場合はこのＳ１２０へ移行することとなる。
【００６２】
交換機アドレス要求部２９ｂは、ＩＰ電話機６ｂの電話機データ記憶部２８に格納されているＭＡＣアドレスを含むパケットをブロードキャストで第１のネットワーク２へ送信することにより、交換機５のアドレス情報であるＩＰアドレスの問い合わせを行う（Ｓ１３０）。このときＳ１１０で取得したＩＰ電話機６のＩＰアドレスもあわせて送信する。
【００６３】
ＩＰ電話機６ｂと交換機５とは同じ第１のネットワーク２にそれぞれ接続されており、同一サブネットであるため、交換機５はブロードキャストによるパケットが到達する範囲内に存在する。従って、ＩＰ電話機６ｂは交換機５のＩＰアドレスが未取得であってもパケットをブロードキャストとすることで、交換機５へＩＰアドレスの問い合わせを送信することができる。
【００６４】
交換機５からこのブロードキャストパケットに応答するパケットを受信すると、交換機アドレス受信部２９ｃはＩＰパケット処理部２２を介してこの応答パケットに含まれる交換機５のＩＰアドレスとＩＰ電話機６ｂに割り当てられた電話番号とを受信し、電話機データ記憶部２８へ格納する（Ｓ１４０）。
【００６５】
ＩＰ電話機６ｂの表示部２７は、交換機アドレス受信部２９ｃからこの電話番号を受信し、これを表示する（Ｓ１５０）。この表示を行うことで、交換機５のＩＰアドレスを取得し、登録が完了したことを操作者へ示すことができる。また、操作者はこの表示によってＩＰ電話機６ｂの電話番号を容易に確認することができる（Ｓ１６０）。図５のＳ１６０まで完了した時点で、ＩＰ電話機６ｂは交換機５に登録済みとなり第１のネットワーク２内でそのまま使用することができる。
【００６６】
次に、図１（ｂ）に示すようにＩＰ電話機６ｂを移設先である第２のネットワーク３に移してＬＡＮスイッチ８へ接続する場合を説明する。この場合も、図５に示すようにＩＰ電話機６ｂの電源を投入する（Ｓ１００）。次いで、電話機データ制御部２９の電話機アドレス要求部２９ｄは、ＤＨＣＰ手順にてブロードキャストパケットを送信し、ＤＨＣＰサーバ１０へＩＰアドレスの取得を要求する。電話機データ制御部２９の電話機アドレス受信部２９ｅは、ＩＰアドレスの割り当て要求に対してＤＨＣＰサーバ１０から送信されたＩＰアドレスを電話機データ記憶部２８に格納する（Ｓ１１０）。そして、交換機アドレス要求部２９ｂは、電話機データ記憶部２８を参照して、交換機５のＩＰアドレスを取得済みか否かを確認するが（Ｓ１２０）、既に交換機５のＩＰアドレスは取得済みであるので、この場合Ｓ１７０へ移行する。
【００６７】
交換機アドレス要求部２９ｂは、電話機データ記憶部２８に既に交換機５のアドレス情報であるＩＰアドレスが格納されていると判断した場合、交換機５のＩＰアドレス宛に登録を要求するユニキャストパケットを作成して送信する（Ｓ１７０）。このパケットには、Ｓ１１０にて取得したＩＰ電話機６のＩＰアドレスと、電話機データ記憶部２８に格納しているＭＡＣアドレスと、Ｓ１４０で取得した電話番号の各情報とが収められて送信される。このＩＰ電話機６ｂの情報が送信されることで、交換機５はＩＰ電話機６ｂのＭＡＣアドレスと、ＩＰアドレスと、電話番号とをそれぞれ関連づけて登録する。
【００６８】
その後、ＩＰ電話機６ｂは交換機５から改めて交換機５のアドレス情報であるＩＰアドレスと、電話番号を受信し、これらを電話機データ記憶部２８へ格納する（Ｓ１８０）。この通知により、交換機５にＩＰ電話機６ｂが再度登録されたことをＩＰ電話機６ｂ側で認識することができる（Ｓ１９０）。
【００６９】
続いて、交換機５で実行される動作について図１，図５および図６に基づいて説明する。まず、交換機５は通常運用している状態であって（Ｓ２００）、ＩＰ電話機６ａからの発呼や、ＩＰ電話機６ａへの着呼などの制御を行っている状態とする。
【００７０】
図１（ａ）に示すように、ＩＰ電話機６ｂがＬＡＮスイッチ７を介して交換機５と接続されている状態でＩＰ電話機６ｂの電源が投入されると、ＩＰ電話機６ｂは交換機５のＩＰアドレスを要求する登録要求パケットをブロードキャストで送信する。これは図５のＳ１３０の処理でＩＰ電話機６ｂから送信されるパケットである。このブロードキャストによるパケットを受信した交換機５の制御部１５はパケットの解析を行う（Ｓ２１０）。Ｓ２１０において、ＩＰ電話機６ｂからの交換機５のＩＰアドレスの問い合わせやＩＰアドレス等の通知でもない場合、その他の処理を要求するパケットとして、受信したパケットごとに対応する処理を行う（Ｓ３１０）。
【００７１】
Ｓ２１０で、受信したパケットがＩＰ電話機６ｂから交換機５への登録要求である場合、モード制御部１５ａは、モード記憶部１４ａに格納している登録モード情報を参照し、登録モードＯＮか否かを判定する（Ｓ２２０）。その結果、登録モードＯＦＦの場合、受信した登録要求パケットを無視する（Ｓ２３０）。
【００７２】
登録モードＯＮの場合、受信した登録要求パケットに含まれるＭＡＣアドレスが既にＩＰ電話機管理テーブル１４ｂに登録済みか否かをＩＰ電話機登録管理部１５ｄが判定する（Ｓ２４０）。Ｓ２４０において登録されていないと判定された場合、受信したＭＡＣアドレスをＩＰ電話機管理テーブル１４ｂに格納する（Ｓ２５０）。
【００７３】
電話番号割当部１５ｃはＩＰ電話機６ｂに対して電話番号を割り当て可能かを判定し（Ｓ２６０）、割り当て可能であればＩＰ電話機６ｂのＭＡＣアドレスと関連付けてＩＰ電話機管理テーブル１４ｂへこの割り当てた電話番号を格納する（Ｓ２８０）。割り当て不
可の場合は、交換機５からＩＰ電話機６ｂへその旨を通知して、登録処理を終了する（Ｓ２７０）。
【００７４】
このＳ２８０の処理が完了すると、ＩＰ電話機登録管理部１５ｄはＩＰ電話機６ｂから受信した前記登録要求パケットに含まれているＩＰ電話機６ｂのＩＰアドレスを取り出し、ＭＡＣアドレスと関連付けてＩＰ電話機管理テーブル１４ｂに格納する（Ｓ２９０）。
【００７５】
また、Ｓ２４０にてＩＰ電話機管理テーブル１４ａに電話機６ｂのＭＡＣアドレスが既に登録済みと判定された場合は、電話番号割当部１５ｃは新たに電話番号を割り当てることはせず、Ｓ２８０からと同様にＳ２９０に移行して、ＩＰ電話機登録管理部１５ｄは登録要求パケットに含まれているＩＰ電話機６ｂのＩＰアドレスを取り出し、ＭＡＣアドレスと関連付けてＩＰ電話機管理テーブル１４ｂに格納する。
【００７６】
続いて交換機アドレス通知部１５ｂは、ＩＰ電話機６ｂからの交換機５のＩＰアドレスの問い合わせに応じて、交換機５のＩＰアドレスを交換機アドレス記憶部１４ｃから取り出し、ＩＰ電話機管理テーブル１４ｂに格納しているＩＰ電話機６ｂの電話番号とともに通知する（Ｓ３００）。
【００７７】
このＳ３００の処理が完了すると、第１のネットワーク２に接続したＩＰ電話機６ｂは登録を完了し、図５に示すＳ１６０の状態となる。この段階で、ＩＰ電話機６ｂは第１のネットワーク３内で使用できるＩＰアドレスで交換機５へ登録を完了しており、このままで通信可能な状態である。
【００７８】
次に、図１（ｂ）に示す接続状態において、ＩＰ電話機６ｂを第２のネットワーク３に接続する。ＩＰ電話機６ｂは、図５に示すＳ１１０の処理を行い、ＤＨＣＰ手順によってＤＨＣＰサーバ１０へＩＰ電話機６ｂのＩＰアドレスの割り当てを要求し、ＤＨＣＰサーバ１０からＩＰアドレスの割当てを受信する。なお、このＩＰアドレスは第１のネットワーク２で割り当てられたＩＰアドレスとは異なる。
【００７９】
その後、ＩＰ電話機６ｂは、自装置の情報（ＩＰアドレスと、ＭＡＣアドレスと、電話番号）と交換機５のＩＰアドレスを電話機データ記憶部２８から取り出し、交換機５のＩＰアドレス宛てにユニキャストパケットを送信する（Ｓ１７０）。
【００８０】
ＩＰ電話機６ｂからこのパケットを受信した交換機５の制御部１５は、Ｓ２１０で登録要求であると判断してＳ２２０へ移行する。モード制御部１５ａは、モード記憶部１４ａに格納している登録モード情報を参照し、登録モードＯＮか否かを判定する（Ｓ２２０）。この登録モード設定は例えば保守端末から保守員等によって行われる。このときモード表示部１６はモードの表示を行う。Ｓ２２０において登録モードＯＦＦの場合、受信した登録要求パケットを無視する（Ｓ２３０）。従って第１のネットワーク２から第２のネットワーク３へＩＰ電話機６ｂを移設する場合は、ＬＡＮスイッチ８に接続する前に交換機５の登録モード情報を予め登録モードＯＮにしておく必要がある。なお、登録モードのＯＮ／ＯＦＦとは関係なく、交換機５の交換機機能は動作し呼制御やＬＡＮ制御は実行される。
【００８１】
次にＩＰ電話機登録管理部１５ｄは、ＩＰ電話機管理テーブル１４ｂを参照して、要求したＩＰ電話機６ｂのＭＡＣアドレスが登録済みか否かを判定する（Ｓ２４０）。これは、交換機５が既に登録していればＩＰ電話機６ｂに対して二重に電話番号を割り当てることを防止するためである。
【００８２】
Ｓ２４０において、ＩＰ電話機管理テーブル１４ａにＩＰ電話機６ｂのＭＡＣアドレス
が既に登録済みと判定された場合は、ＩＰ電話機登録管理部１５ｄは登録要求パケットに含まれているＩＰ電話機６ｂのＩＰアドレスを取り出し、ＭＡＣアドレスと関連付けてＩＰ電話機管理テーブル１４ｂに格納する（Ｓ２９０）。これより以前のステップで既にＩＰ電話機６ｂのＩＰアドレスがＩＰ電話機管理テーブル１４ｂに格納されていても上書きして格納する（Ｓ２９０）。
【００８３】
次いで交換機アドレス通知部１５ｂは、交換機５のＩＰアドレスを交換機アドレス記憶部１４ｃから取り出し、ＩＰ電話機管理テーブル１４ｂに格納しているＩＰ電話機６ｂの電話番号とともに通知する（Ｓ３００）。ＩＰ電話機６ｂは、既に交換機５のＩＰアドレスと、電話番号をＳ１４０のステップにて既に保持しているが、交換機５の登録処理を簡易にするため再び同内容の情報を通知する。
【００８４】
このようにして、交換機５が接続される第１のネットワーク２とは異なるサブネットの第２のネットワーク３へＩＰ電話機６ｂを設置する場合でも、最初に第１のネットワーク２にて交換機５のＩＰアドレスをブロードキャストで取得し、次に設置先である第２のネットワーク３へ接続して、ＩＰ電話機６ｂのＩＰアドレスの登録などを行うことにより、交換機に対してルータなどのネットワーク中継装置を介したネットワークにＩＰ電話機を設置する場合でも容易にＩＰ電話機６ｂの登録をすることができる。
【産業上の利用可能性】
【００８５】
本発明は、ＩＰ電話機と交換機が異なるサブネットのネットワークに接続されていても、それぞれのアドレス情報などが容易に設定できるので、交換機とその交換機に収容されるＩＰ電話機とがＬＡＮで接続される交換機システムおよびその登録方法に好適である。
【図面の簡単な説明】
【００８６】
【図１】本発明の実施の形態１における交換機システムのネットワーク接続を説明する図
【図２】図１のＩＰ電話機の構成の説明図
【図３】図１のＩＰ電話機の電話機データ制御部の構成の説明図
【図４】図１の交換機の構成の説明図
【図５】図１のＩＰ電話機の動作を説明するフローチャート
【図６】図１の交換機の動作を説明するフローチャート
【符号の説明】
【００８７】
１    交換機システム
２    第１のネットワーク
３    第２のネットワーク
４    ルータ
５    交換機
６，６ａ，６ｂ    ＩＰ電話機
７，８    ＬＡＮスイッチ
９，１０    ＤＨＣＰサーバ
１１    ＬＡＮＩ／Ｆ部
１２    アップリンクＩ／Ｆ部
１３    スイッチ部
１４    記憶部
１４ａ    モード記憶部
１４ｂ    ＩＰ電話機管理テーブル
１４ｃ    交換機アドレス記憶部
１５    制御部
１５ａ    モード制御部
１５ｂ    交換機アドレス通知部
１５ｃ    電話番号割当部
１５ｄ    ＩＰ電話機登録管理部
１５ｅ    ＩＰ電話機管理テーブル消去部
１６    モード表示部
２１    ＬＡＮＩ／Ｆ部
２２    ＩＰパケット処理部
２３    音声符号化部
２４    マイク
２５    スピーカ
２６    入力部
２７    表示部
２８    電話機データ記憶部
２９    電話機データ制御部
２９ａ    発着信制御部
２９ｂ    交換機アドレス要求部
２９ｃ    交換機アドレス受信部
２９ｄ    電話機アドレス要求部
２９ｅ    電話機アドレス受信部
２９ｆ    電話機データ消去部
【図１】
2005340885.tif 000003
【図２】
2005340885.tif 000004
【図３】
2005340885.tif 000005
【図４】
2005340885.tif 000006
【図５】
2005340885.tif 000007
【図６】
2005340885.tif 000008